(57)【特許請求の範囲】
【請求項１】
開閉扉を備えた装置本体に固定されキーにより回動操作される錠前部を有してなる固定ブロックと、この固定ブロックに連結されてなり上記開閉扉の正面に対向してなる対向面を備えた回動ブロックと、を備えてなるとともに、平面形状がほぼＬ字状とされてなる開閉扉の開放防止装置であって、
上記固定ブロックと回動ブロックとは、一端は回動ブロックに固定され、他端は固定ブロック内に挿入されてなる連結軸により連結されてなるとともに、この連結軸は、上記キーにより回動操作される錠前部の回動により、回動ブロックが固定ブロックから離間可能となされ且つ該連結軸を中心に回動可能とされてなるとともに、
固定ブロックには、前記錠前部の回動の結果自重により下方に移動する移動部材が配設され、前記連結軸の他端は、この移動部材と係合する係合部が形成されてなり、該移動部材の自重による下方への移動により連結軸と該移動部材との係合が解除されることにより、前記回動ブロックが固定ブロックから離間可能となされ且つ該連結軸を中心に回動可能とされてなることを特徴とする開閉扉の開放防止装置。
【請求項２】
前記移動部材の上方には、該移動部材を保持するとともに、前記錠前部材の回動により該移動部材の保持状態を解除する保持部材が配設されてなることを特徴とする請求項１記載の開閉扉の開放防止装置。
【請求項３】
前記固定ブロックには、回動ブロックと当接する一方の当接面が形成され、回動ブロックには該一方の当接面に当接する他方の当接面が形成されてなるとともに、該一方の当接面又は他方の当接面には、複数の挿通軸と該挿通軸が挿通される挿通孔とが相対的に形成されてなることを特徴とする請求項１又は２記載の開閉扉の開放防止装置。
【発明の詳細な説明】
【０００１】
【発明が属する技術分野】
本発明は、例えば、自動精算機や自動販売機に設けられた開閉扉の開放を防止するために、該自動精算機等に装着される開閉扉の開放防止装置に関するものである。
【０００２】
【従来の技術】
近年、屋外には多種多様な自動精算機や自動販売機等（以下、自動精算機等と言う。）が設置され、特定のサービスが提供され又は物品が販売されている。例えば、最近の無人の駐車場においては、各駐車スペース内に、回動板を備えた出庫規制装置を設けるとともに、出入口の近傍には、該出庫規制装置に連動した自動精算機が設置されている。したがって、出庫する場合には、この自動精算機を使用して利用者が精算を済ませることにより、上記出庫規制装置に設けられた回動板が回動し、出庫可能となる。また、自動販売機は、周知の通り、金銭を投入し選択ボタンの押圧操作により、所望の商品を購入することができるようにされている。
【０００３】
【発明が解決しようとする課題】
ところで、上述した自動精算機等では、殆どが正面側に開閉扉が設けられ、管理者がこの開閉扉を開放することにより、内部に収納される物品や領収書の補充，点検並びに内部に収容された金銭の回収等がされることとなる。言うまでもなく、こうした開閉扉には、錠前が装置本体又は開閉扉に配設され、管理者が所持する特定のキーを使用しなければ開放できない構造とされているが、上記開閉扉と装置本体との間には、僅かな隙間が形成されている場合があり、この隙間内にバール等の治具を突き刺し開閉扉がこじ開けられ、または、ドリル等で鍵穴を破壊し錠前と開閉扉との係合を解除した上で該開閉扉が開放されてしまう場合が多い。
【０００４】
そこで、本発明は、上述した従来の自動精算機等が有する課題を解決するために提案されたものであって、バール等の治具を使用したとしても簡単に開閉扉を開放することができない開閉扉の開放防止装置を提供することを目的とするものである。
【０００５】
【課題を解決するための手段】
本発明は、上記目的を達成するために提案されたものであって、第１の発明（請求項１記載の発明）は、開閉扉を備えた装置本体に固定されキーにより回動操作される錠前部を有してなる固定ブロックと、この固定ブロックに連結されてなり上記開閉扉の正面に対向してなる対向面を備えた回動ブロックと、を備えてなるとともに、平面形状がほぼＬ字状とされてなる開閉扉の開放防止装置であって、上記固定ブロックと回動ブロックとは、一端は回動ブロックに固定され、他端は固定ブロック内に挿入されてなる連結軸により連結されてなるとともに、この連結軸は、上記キーにより回動操作される錠前部の回動により、回動ブロックが固定ブロックから離間可能となされ且つ該連結軸を中心に回動可能とされてなるとともに、固定ブロックには、前記錠前部の回動の結果自重により下方に移動する移動部材が配設され、前記連結軸の他端は、この移動部材と係合する係合部が形成されてなり、該移動部材の自重による下方への移動により連結軸と該移動部材との係合が解除されることにより、前記回動ブロックが固定ブロックから離間可能となされ且つ該連結軸を中心に回動可能とされてなることを特徴とするものである。
【０００６】
また、第２の発明（請求項２記載の発明）は、上記第１の発明において、前記移動部材の上方には、該移動部材を保持するとともに、前記錠前部材の回動により該移動部材の保持状態を解除する保持部材が配設されてなることを特徴とするものである。
【０００７】
第３の発明（請求項３記載の発明）は、上記第２の発明において、前記固定ブロックには、回動ブロックと当接する一方の当接面が形成され、回動ブロックには該一方の当接面に当接する他方の当接面が形成されてなるとともに、該一方の当接面又は他方の当接面には、複数の挿通軸と該挿通軸が挿通される挿通孔とが相対的に形成されてなることを特徴とするものである。
【０００９】
【発明の実施の形態】
以下、本発明の一実施の形態に係る開閉扉の開放防止装置について、図面を参照しながら詳細に説明する。なお、この実施の形態は、本発明を、無人駐車場に設置される自動精算機に取り付けられる開閉扉の開放防止装置に適用したものである。
【００１０】
この実施の形態に係る開閉扉の開放防止装置（以下、本装置と言う。）１０は、図１に示すように、自動精算機１の精算機本体２に固定される固定ブロック１１と、この固定ブロック１１に連結されてなるとともに、該精算機本体２の正面に設けられた開閉扉３の正面に対向する対向面を有する回動ブロック１２とから構成されている。なお、上記開閉扉３には、無人駐車場を利用した者が精算時に操作する各種の操作ボタン３ａ，紙幣を取り込む紙幣取り込み部３ｂやコインを投入するコイン投入部３ｃ，領収書を取り出す取り出し口３ｄ等のように従来の自動精算機１に備わっている構成を備えてなるものであるとともに、この開閉扉３をロックする錠前３ｅが固定され、図示しないキーを使用することにより、該開閉扉３が開放できるようにされている。なお、上記自動精算機１は、開閉扉３が、該自動精算機１の正面よりもやや奥まった状態で配設されている。
【００１１】
そして、本装置１０は、図２に示すように、上記自動精算機１の側面に固定される固定ブロック１１と、この固定ブロック１１の正面に位置し上記開閉扉３の正面に対向する対向面１２ａを有する回動ブロック１２とから構成されている。上記固定ブロック１１は、ほぼ鉄板によりほぼ箱状に成形されてなる筐体１３内に後述する各種の部品が収容されてなるものである。この筐体１３の内側には、上記精算機本体２の側面により閉塞される開口が形成されている。また、この筐体１３の上端には、図３に示すように、上部フランジ１３ａが形成され、下端には下部フランジ１３ｂが形成されている。そして、上記上部フランジ１３ａ及び下部フランジ１３ｂには、精算機本体２の側板に穿設された挿通孔内に挿通され、該側板の内側からナット螺着されるボルト部１４が溶接されている。
【００１２】
また、上記固定ブロック１１には、図４に示すように、後述するキーにより回動操作される錠前部１５が配設され、この錠前部１５は、天板１６ａ，正面板１６ｂ，背面板１６ｃ及び側板１６ｄからなり下方に開口を有するケース部１６により囲われている。なお、上記背面部１６ｄは、図７に示すように、固定ブロック１１の背面まで延設されている。また、このケース部１６内の空間は、後述するキーを錠前部１５に挿入することはできるが、該キーを手指で容易に回動操作することはできないものとされている。そして、この固定ブロック１１内には、図３に示すように、上記錠前部１５に連結されてなる円盤状の回動盤１７と、下端はこの回動盤１７に支軸１８を介して連結され該回動盤１７の回動により下降し、上端には折曲部１９ａが形成されてなる押し下げピン１９と、この押し下げピン１９に形成された折曲部１９ａの下降により押し下げられる解除片２０を備えた保持部材２１と、この保持部材２１により上端側が保持され解除片２０の移動により該保持部材２１による保持状態が解除され、自重により下方に落下する移動部材２２と、この移動部材２２の落下により正面側に移動可能となされ、固定ブロック１１から回動ブロック１２を離間及び回動可能となす連結軸２３とを備えている。
【００１３】
上記保持部材２１は、図５中の（Ａ）に示すように、上記解除片２０が側方に形成されてなり、一端側に軸支された支軸２４ａを中心に回動可能となされ中途部には一方の係合部２４ｂが形成されてなる一方の回動金具２４と、この一方の回動金具２４に並んで配設され、ほぼ中央に軸支された支軸２５ａを中心に回動可能とされてなるとともに上記一方の係合部２４ｂに係合する他方の係合部２５ｂと、後述する移動部材２２を保持する保持部２５ｃを下端に備えてなる他方の回動金具２５と、上記一方の回動金具２４と他方の回動金具２５とを連結する引っ張りバネ２６とから構成されている。したがって、上記一方の回動金具２４は、押し下げピン１９により支軸２４ａを中心に図５の（Ａ）中時計回り方向に回転すると、上記一方の係合部２４ｂと他方の係合部２５ｂとの係合は解除されるとともに、上記引っ張りバネ２６により、他方の回動金具２５も時計回り方向に回転させられる。この結果、それまで移動部材２２による移動部材２２の保持状態は解除され、図５の（Ｂ）に示すように、移動部材２２は、下方に落下する。なお、再び上記移動部材２２をこの保持部材２１に保持させる場合には、該移動部材２２を下方から上方に加圧することにより、図５の（Ｂ）に示す状態から、図５の（Ａ）に示す状態となる。
【００１４】
また、上記移動部材２２は、縦方向に長さを有する長方形状となされた棒体であり、上端には、上記他方の回動金具２５に形成された保持部２５ｃに保持される軸２２ａが形成されている。また、この移動部材２２は、図３に示すように、下端側は、固定ブロック１１に形成された挿通枠２７に挿通されてなるとともに、中途部は、連結軸２３に挿通されている。この連結軸２３は、固定ブロック１１と回動ブロック１２とを連結してなるものであり、基端は該回動ブロック１２に固定され、先端側は、この固定ブロック１１に形成された円形状の挿通孔（符号は省略する。）を介して該固定ブロック１１内に挿入されている。また、この連結軸２３は、円筒状に成形された円筒部２３ａと、この円筒部２３ａの先端に溶接され上記固定ブロック１１に形成された挿通孔よりも大きなストッパ２３ｂと、このストッパ２３ｂに上記移動部材２２の肉厚よりもやや長い間隔を隔てて対峙する対峙部２３ｃとから構成されている。なお、上記ストッパ２３ｂと対峙部２３ｃとは、連結金具２３ｄにより連結されている。したがって、上記移動部材２２が、上述した保持部材２１による保持状態が解除され、自重により下方に落下した場合には、この連結軸２３はフリーの状態となり、後述するように、固定ブロック１１と回動ブロック１２とが離間可能となり、且つ、該回動ブロック１２が回動可能となる。なお、上記固定ブロック１１の正面には、図３に示すように、回動ブロック１２側に突出した凸部３０，３１が形成されている。
【００１５】
一方、上記回動ブロック１２は、図２に示すように、上記固定ブロック１１の正面に背面が当接し精算機本体２の側面に内側面が対向する側面部１２ｂと、この側面部１２ｂの先端から連続し精算機本体２の正面側に位置する正面部１２ｃと、上記側面部１２ｂと対向し先端は、上記開閉扉３の正面に対向する対向面部１２ａが形成された当接部１２ｄとからなり、平面形状はほぼコ字状となされている。この回動ブロック１２は、鉛や鋼鉄又はステンレス等の比重が高い金属が内蔵されてなるものであり、上記側面部１２ｂの背面には、上記固定ブロック１１に設けられた凸部３０，３１が挿入される挿入孔１２ｅが形成され、また前述のように、連結軸２３の基端が固定されている。
【００１６】
したがって、上記精算機本体２に設けられた開閉扉３は、上記回動ブロック１２により、例えば、該開閉扉３と精算機本体２との間にバール等を用いてこじ開けようとしても、該開閉扉３の正面は回動ブロック１２の対向面１２ａに当接し、開放することができてない。なお、以下、上記開閉扉３を開放する場合の操作方法について説明すると、先ず、図６に示すキー３５と、このキー３５を回動操作する操作具３６を用いる。この操作具３６は、作業者が把持する長方形状の把持部３６ａと、この把持部３６ａの先端に回動軸３６ｂを介して回動可能に連結されてなるキー保持部３６ｃと、このキー保持部３６ｃに形成されキーが挿通される挿通溝３６ｄとから構成されている。したがって、この操作具３６を構成する上記キー保持部３６ｃの挿通溝３６ｄに、キー３５を挿通保持させ、図６に示すように、ケース部１６の下側から挿入するとともに、図７に示すように、キー３５を錠前部１５に挿入して回動する。こうした錠前部１５の回動により回動盤１７が回動し、図９に示すように、押し下げピン１９が下降する。この押し下げピン１９の下降により、前述したように、保持部材２１による移動部材２２の保持状態が、解除され、該移動部材２２は、図１０に示すように、下方に落下する。こうした移動部材２２の落下により、回動ブロック１２に固定された連結軸２２は、フリーの状態となり、したがって、回動ブロック１２は、図１０中矢印方向に移動可能となる。すなわち、それまで、開閉扉３に対向していた回動ブロック１２は、該開閉扉３から離間させることができ、図１１に示すように、連結軸２３を中心に、図１１中矢印方向に回動させることが可能となる。この結果、図示しない開閉扉用の図示しないキーを使用した錠前３ｅによる開閉扉３のロックを外し、内部の金銭等を取り出すことができる。
【００１７】
なお、本装置１０による再び開閉扉３の開放を規制する場合には、上記回動ブロック１２を回動させ、固定ブロック１１に設けられた凸部３０，３１が回動ブロック１２に形成された挿入孔１２ｅに挿入させ、上記移動部材２２を下側から該固定ブロック１１内に挿通し、該移動部材２２の上端に形成された軸２２ａを、上記保持部材２１に押し込む。すると、上記他方の回動金具２５は、支軸２５ａを中心に図５の（Ａ）中反時計回り方向に回転し、この結果、上記軸２５ａは、他方の回動金具２５に形成された保持部２５ｃにより保持されるとともに、該他方の回動金具２５にバネ２６を介して連結した一方の回動金具２４も反時計回り方向に回転し、押し下げピン１９や回動盤１７も、図３に示すように、元の位置に復帰する。
【００１８】
したがって、上述した本装置１０によれば、極めて強固に開閉扉３の開放を防止することができ、内部の金銭の盗難を有効に防止することが可能となる。特に、本装置１０では、キー３５の操作は、錠前部１５がケース部１６内に位置し、図６に示す操作具３６を使用しなければ解錠操作が困難であることから、キー３５のみを持つ者による開閉扉３の開放には、時間がかかる。また、本装置１０では、上述したように、錠前部１５の回動により回動盤１７が回動し、これによる押し下げピン１９の下降により、保持部材２１による移動部材２２の保持状態が解除され、移動部材２２が下方に落下する構成を採用しており、錠前部１５の回動により、回動ブロック１２が固定ブロック１１から離間し回動可能となる構造ではない。したがって、上記錠前部１５がドリル等により破壊された場合であっても、押し下げピン１９は下降することがないとともに、保持部材２１による移動部材２２の保持状態が解除される訳でもない。このため本装置１０によれば、従来のように、ドリル等により錠前が破壊された場合であっても、金銭の盗難から十分免れることができる。
【００１９】
【発明の効果】
前述した本発明の各実施の形態の説明からも明らかなように、本発明では、開閉扉の正面に対向してなる対向面を備えた回動ブロックが構成要素となされ、固定ブロックと回動ブロックとは、一端は回動ブロックに固定され、他端は固定ブロック内に挿入されてなる連結軸により連結されてなるとともに、この連結軸は、上記キーにより回動操作される錠前部の回動により、回動ブロックが固定ブロックから離間可能となされ且つ該連結軸を中心に回動可能とされてなることから、バール等の治具を使用したとしても簡単に開閉扉を開放することができない。このため、開閉扉内に収容されている金銭の盗難を有効に防止することが可能となる。特に、固定ブロックには、前記錠前部の回動の結果自重により下方に移動する移動部材が配設され、前記連結軸の他端は、この移動部材と係合する係合部が形成されてなり、該移動部材の自重による下方への移動により連結軸と該移動部材との係合が解除されることにより、前記回動ブロックが固定ブロックから離間可能となされ且つ該連結軸を中心に回動可能とされてなることから、錠前部がドリル等により破壊された場合であっても、金銭の盗難から十分免れることができる。
【００２０】
特に、移動部材を保持する保持部材を構成要素とする保持部材が構成要素とされている発明によれば、ドリル等により錠前部が破壊された場合であっても、保持部材による移動部材の保持状態を維持することから、開閉扉内に収容されている金銭の盗難を一層有効に防止することが可能となる。
【図面の簡単な説明】
【図１】本発明の一実施の形態に係る開閉扉の開放防止装置を自動精算機に取り付けた状態を示す斜視図である。
【図２】図１に示す開閉扉の開放防止装置の平面図である。
【図３】図１に示す開閉扉の開放防止装置の右側面図である。
【図４】図１に示す開閉扉の開放防止装置の底面図である。
【図５】保持部材の構成を模式的に示す模式図であり、（Ａ）は、移動部材が保持さている状態を示す模式図であり、（Ｂ）はその保持状態が解除された後の状態を示す模式図である。
【図６】キー及び操作具を示す斜視図である。
【図７】キーを保持した操作具をケース部内に挿入する状態を示す斜視図である。
【図８】キーを保持した操作具により錠前部を回動させる状態を示す背面図である。
【図９】キーを保持した操作具により錠前部が回動された後の状態を示す背面図である。
【図１０】移動部材が保持部材による保持状態が解除され自重により下方に落下した後の状態を示す背面図である。
【図１１】回動ブロックを回動した後の状態を示す背面図である。
【符号の説明】
１    自動精算機
２    精算機本体
３    開閉扉
１０    開閉扉の開放防止装置
１１    固定ブロック
１２    回動ブロック
１５    錠前部
２１    保持部材
２２    移動部材
２３    連結軸
３５    キー
【図１】
0003745958.tif 000002
【図２】
0003745958.tif 000003
【図３】
0003745958.tif 000004
【図４】
0003745958.tif 000005
【図５】
0003745958.tif 000006
【図６】
0003745958.tif 000007
【図７】
0003745958.tif 000008
【図８】
0003745958.tif 000009
【図９】
0003745958.tif 000010
【図１０】
0003745958.tif 000011
【図１１】
0003745958.tif 000012